(57)【要約】【課題】装着者へ装置を取り付けた後の装着状態を認識する。【解決手段】本発明の端末装置は、装置本体と、装置本体に接続され装置本体を装着者に取付ける提げ紐４０とを備える。また、この端末装置は、提げ紐４０に配置され装着者からみて前方からの音声に対する感度が装着者からみて後方からの音声に対する感度よりも高い第１の指向性を有する第３マイクロフォン１１ｃと、提げ紐４０に配置され第１の指向性とは異なる第２の指向性を有する第２マイクロフォン１１ｂとを備える。さらに、この端末装置は、第２マイクロフォン１１ｂおよび第３マイクロフォン１１ｃにより取得された音声を比較することにより、第２マイクロフォン１１ｂおよび第３マイクロフォン１１ｃについての装着者からみた左右方向の配置を認識する音声解析部を備える。【選択図】図１１−１
2014050048.tif 000002
【特許請求の範囲】
【請求項１】
装置本体と、
前記装置本体に接続され、当該装置本体を装着者に取付ける取付け手段と、
前記装置本体または前記取付け手段に配置され音声を取得するとともに、装着者からみて前方からの音声に対する感度が装着者からみて後方からの音声に対する感度よりも高い第１の指向性を有する第１音声取得手段と、
前記装置本体または前記取付け手段に配置され音声を取得するとともに、前記第１の指向性とは異なる第２の指向性を有する第２音声取得手段と、
前記第１音声取得手段により取得された音声と前記第２音声取得手段により取得された音声とを比較することにより、当該第１音声取得手段および当該第２音声取得手段についての装着者からみた左右方向の配置を認識する配置認識手段と
を備えることを特徴とする音声解析装置。
【請求項２】
装着者の口から前記第１音声取得手段または前記第２音声取得手段までの距離とは装着者の口からの距離が異なる位置に配置され、音声を取得する第３音声取得手段を備え、
前記第３音声取得手段とは装着者の口からの距離が異なる前記第１音声取得手段または前記第２音声取得手段と、当該第３音声取得手段とにより取得された音声に基づき、当該取得された音声が装着者の発話音声か他者の発話音声かを識別する発話者識別手段を備えることを特徴とする請求項１記載の音声解析装置。
【請求項３】
前記第１音声取得手段および前記第２音声取得手段により取得された音声に基づき、装着者と他者との向き合う角度である対面角度を算出する算出手段を備えることを特徴とする請求項１記載の音声解析装置。
【請求項４】
前記第１音声取得手段および前記第２音声取得手段についての装着者からみた左右方向が予め定めた向きと逆向きであると前記配置認識手段により認識された場合に、逆向きに配置されていることを表示する表示手段を備えることを特徴とする請求項１記載の音声解析装置。
【請求項５】
前記取付け手段は、装着者に装着された状態で装着者に対する向きを安定させる安定部を備えることを特徴とする請求項１記載の音声解析装置。
【請求項６】
装置本体と、
前記装置本体に接続され、当該装置本体を装着者に取付ける取付け手段と、
前記装置本体または前記取付け手段に配置され単一指向性を有する単一指向性マイクロフォンと、
前記装置本体または前記取付け手段に配置され全指向性を有する全指向性マイクロフォンと、
前記単一指向性マイクロフォンにより取得された音声と前記全指向性マイクロフォンにより取得された音声とを比較することにより、装置の装着状態を認識する装着状態認識手段と
を備えることを特徴とする音声解析装置。
【発明の詳細な説明】
【技術分野】
【０００１】
本発明は、音声解析装置に関する。
【背景技術】
【０００２】
特許文献１には、指向特性を狭い角度範囲で高いものとすることが可能な音声信号処理装置を提供することを目的とした技術が開示されている。そして、特許文献１には、第１のマイクロフォンと、第１のマイクロフォンと近接して配置されるとともに、第１のマイクロフォンとは異なる指向性を有する第２のマイクロフォンと、第１のマイクロフォンおよび／または第２のマイクロフォンの信号から、所定の相関を有する信号を抽出する抽出手段と、を有することが開示されている。
【０００３】
また、特許文献２には、小型で、所望の指向性を容易に得ることができるマイクロホン装置を実現することを目的とした技術が開示されている。そして、特許文献２には、希望音声を収音するための第１のマイクロホンと、希望音声の到来方向の感度が低い指向性の第２のマイクロホンとを設ける。第２のマイクロホンからの音声信号は適応フィルタ手段を介して減算手段に供給する。減算手段では第１のマイクロホンの音声信号から適応フィルタ手段の出力信号を減算する。そして、減算手段の出力パワーが最小化されるように適応フィルタ手段を調整する手段を設けることが開示されている。
【先行技術文献】
【特許文献】
【０００４】
【特許文献１】特開２００７−１８０８９６号公報
【特許文献２】特開平５−３１６５８７号公報
【発明の概要】
【発明が解決しようとする課題】
【０００５】
本発明は、装着者へ装置を取り付けた後の装着状態を認識することを目的とする。
【課題を解決するための手段】
【０００６】
請求項１に記載の発明は、装置本体と、前記装置本体に接続され、当該装置本体を装着者に取付ける取付け手段と、前記装置本体または前記取付け手段に配置され音声を取得するとともに、装着者からみて前方からの音声に対する感度が装着者からみて後方からの音声に対する感度よりも高い第１の指向性を有する第１音声取得手段と、前記装置本体または前記取付け手段に配置され音声を取得するとともに、前記第１の指向性とは異なる第２の指向性を有する第２音声取得手段と、前記第１音声取得手段により取得された音声と前記第２音声取得手段により取得された音声とを比較することにより、当該第１音声取得手段および当該第２音声取得手段についての装着者からみた左右方向の配置を認識する配置認識手段とを備えることを特徴とする音声解析装置である。
【０００７】
請求項２に記載の発明は、装着者の口から前記第１音声取得手段または前記第２音声取得手段までの距離とは装着者の口からの距離が異なる位置に配置され、音声を取得する第３音声取得手段を備え、前記第３音声取得手段とは装着者の口からの距離が異なる前記第１音声取得手段または前記第２音声取得手段と、当該第３音声取得手段とにより取得された音声に基づき、当該取得された音声が装着者の発話音声か他者の発話音声かを識別する発話者識別手段を備えることを特徴とする請求項１記載の音声解析装置である。
【０００８】
請求項３に記載の発明は、前記第１音声取得手段および前記第２音声取得手段により取得された音声に基づき、装着者と他者との向き合う角度である対面角度を算出する算出手段を備えることを特徴とする請求項１記載の音声解析装置である。
請求項４に記載の発明は、前記第１音声取得手段および前記第２音声取得手段についての装着者からみた左右方向が予め定めた向きと逆向きであると前記配置認識手段により認識された場合に、逆向きに配置されていることを表示する表示手段を備えることを特徴とする請求項１記載の音声解析装置である。
請求項５に記載の発明は、前記取付け手段は、装着者に装着された状態で装着者に対する向きを安定させる安定部を備えることを特徴とする請求項１記載の音声解析装置である。
【０００９】
請求項６に記載の発明は、装置本体と、前記装置本体に接続され、当該装置本体を装着者に取付ける取付け手段と、前記装置本体または前記取付け手段に配置され単一指向性を有する単一指向性マイクロフォンと、前記装置本体または前記取付け手段に配置され全指向性を有する全指向性マイクロフォンと、前記単一指向性マイクロフォンにより取得された音声と前記全指向性マイクロフォンにより取得された音声とを比較することにより、装置の装着状態を認識する装着状態認識手段とを備えることを特徴とする音声解析装置である。
【発明の効果】
【００１０】
請求項１の発明によれば、装着者へ装置を取り付けた後の装着状態を認識することができる。
請求項２の発明によれば、装着者の発話音声と他者の発話音声とを識別することができる。
請求項３の発明によれば、装着者と他者との対面角度を把握することができる。
請求項４の発明によれば、装着者が装着状態を把握することができる。
請求項５の発明によれば、装着状態を検知する精度を向上させることができる。
請求項６の発明によれば、装着者へ装置を取り付けた後の装着状態を認識することができる。
【図面の簡単な説明】
【００１１】
【図１】本実施形態による音声解析システムの構成例を示す図である。
【図２】本実施形態における端末装置の構成例を示す図である。
【図３】装着者および他者の口（発声部位）と、マイクロフォンとの位置の関係を示す図である。
【図４】マイクロフォンと音源との間の音波伝搬経路の距離と音圧（入力音量）との関係を示す図である。
【図５】装着者自身の発話音声と他者の発話音声の識別方法を示す図である。
【図６】本実施形態における対面角度について説明した図である。
【図７】第２マイクロフォンと第３マイクロフォンとを使用して対面角度を求める方法について説明した図である。
【図８】本実施形態において時間差を求める方法を説明した図である。
【図９】対面角度と、第２マイクロフォンおよび第３マイクロフォンに話者の音声が到達する時間差との関係を示した図である。
【図１０】第２マイクロフォンおよび第３マイクロフォンの配置を誤って認識する状態について説明した図である。
【図１１−１】第２マイクロフォンおよび第３マイクロフォンの概略構成を説明するための図である。
【図１１−２】第２マイクロフォンおよび第３マイクロフォンの概略構成を説明するための図である。
【図１２】本実施形態における端末装置の動作を示すフローチャートである。
【図１３】本実施形態における音声解析部が対面角度を算出するフローチャートである。
【図１４】本実施形態の端末装置をそれぞれ装着した複数の装着者が会話している状況を示す図である。
【図１５】図１４の会話状況における各端末装置の発話情報の例を示す図である。
【図１６】本実施形態におけるホスト装置の機能構成例を示す図である。
【図１７】変形例における第２マイクロフォンあるいは第３マイクロフォンの指向特性を示す図である。
【発明を実施するための形態】
【００１２】
以下、添付図面を参照して、本発明の実施形態について詳細に説明する。
＜システム構成例＞
図１は、本実施形態による音声解析システムの構成例を示す図である。
図１に示すように、本実施形態のシステムは、端末装置１０とホスト装置２０とを備えて構成される。端末装置１０とホスト装置２０とは、無線通信回線を介して接続されている。無線通信回線の種類としては、Ｗｉ−Ｆｉ（商標）（Wireless Fidelity）、Bluetooth（商標）、ZigBee（商標）、ＵＷＢ（Ultra Wideband）等の既存の方式による回線を用いて良い。また、図示の例では、端末装置１０が１台のみ記載されているが、詳しくは後述するように、端末装置１０は、使用者各人が装着して使用するものであり、実際には使用者数分の端末装置１０が用意される。以下、端末装置１０を装着した使用者を装着者と呼ぶ。
【００１３】
端末装置（音声解析装置）１０は、話者の音声を取得するための音声取得手段として、複数のマイクロフォン１１（第１マイクロフォン１１ａ、第２マイクロフォン１１ｂ、第３マイクロフォン１１ｃ）と、増幅器１３（第１増幅器１３ａ、第２増幅器１３ｂ、第３増幅器１３ｃ）とを備える。また、端末装置１０は、取得音声を解析する音声解析部１５（配置認識手段、装着状態認識手段）と、解析結果をホスト装置２０に送信するためのデータ送信部１６と、解析結果を表示する表示部１７と、各構成部材に電力を供給する電源部１８とを備える。
【００１４】
本実施形態の第１マイクロフォン１１ａ、第２マイクロフォン１１ｂ、第３マイクロフォン１１ｃとして用いられるマイクロフォンの種類としては、ダイナミック型、コンデンサ型等、既存の種々のものを用いて良い。本実施形態の第１マイクロフォン１１ａ、第２マイクロフォン１１ｂ、第３マイクロフォン１１ｃは、低周波（例えば、１Ｈｚ以上）の周波数を測定できるものが好ましい。なお、低周波の周波数を測定できるものと、より高周波の周波数を特定できるマイクロフォンを組み合わせる等、複数のマイクロフォンを組み合わせることによって構成してもよい。
なお、詳細は後述するが、本実施形態においては、第１マイクロフォン１１ａおよび第２マイクロフォン１１ｂとしては無指向性のマイクロフォンを用いるとともに、第３マイクロフォン１１ｃとしては単一指向性のマイクロフォンを用いる。
【００１５】
第１増幅器１３ａ、第２増幅器１３ｂ、および第３増幅器１３ｃは、第１マイクロフォン１１ａ、第２マイクロフォン１１ｂ、および第３マイクロフォン１１ｃが取得音声に応じて出力する電気信号（音声信号）を増幅する。本実施形態の第１増幅器１３ａ、第２増幅器１３ｂ、および第３増幅器１３ｃとして用いられる増幅器としては、既存のオペアンプ等を用いて良い。
【００１６】
音声解析部１５は、第１増幅器１３ａ、第２増幅器１３ｂ、および第３増幅器１３ｃから出力された音声信号を解析する。そして、音声解析部１５は、第１マイクロフォン１１ａ、第２マイクロフォン１１ｂ、第３マイクロフォン１１ｃで取得した音声が端末装置１０を装着した装着者自身が発話した音声か、他者の発話による音声かを識別する。すなわち、音声解析部１５は、第１マイクロフォン１１ａ、第２マイクロフォン１１ｂ、第３マイクロフォン１１ｃで取得した音声に基づき、音声の発話者を識別する発話者識別手段として機能する。また、音声解析部１５は、話者が装着者か他者かを識別し、話者が他者と識別されたときに装着者と話者との向き合う角度である対面角度を計測する。即ち、音声解析部１５は、話者が装着者か他者かを識別する識別手段として機能するとともに、装着者と話者との向き合う角度である対面角度を算出する算出手段として機能する。発話者の識別および対面角度のための具体的な処理の内容については後述する。
【００１７】
データ送信部１６は、音声解析部１５による解析結果を含む取得データと端末装置１０のＩＤを、上記の無線通信回線を介してホスト装置２０へ送信する。ホスト装置２０へ送信する情報としては、ホスト装置２０において行われる処理の内容に応じて、上記の解析結果の他、例えば、第１マイクロフォン１１ａ、第２マイクロフォン１１ｂ、第３マイクロフォン１１ｃによる音声の取得時刻、取得音声の音圧等の情報を含めて良い。なお、端末装置１０に音声解析部１５による解析結果を蓄積するデータ蓄積部を設け、一定期間の保存データを一括送信しても良い。有線回線で送信しても良い。
【００１８】
表示手段の一例である表示部１７は、後述するように、音声解析部１５により端末装置１０を装着する向きが逆と解析された際に、端末装置１０の向きが逆向きであることを装着者に表示する。例えば、表示部１７としてＬＥＤ（Light Emitting Diode）や液晶ディスプレイを用いてもよい。ＬＥＤを用いた場合には、このＬＥＤを点灯させることにより端末装置１０の向きが逆向きであることを装着者に表示してもよい。
【００１９】
電源部１８は、上記の第１マイクロフォン１１ａ、第２マイクロフォン１１ｂ、第３マイクロフォン１１ｃ、第１増幅器１３ａ、第２増幅器１３ｂ、第３増幅器１３ｃ、音声解析部１５、データ送信部１６および表示部１７に電力を供給する。電源としては、例えば乾電池や充電池等の既存の電源が用いられる。また、電源部１８は、必要に応じて、電圧変換回路および充電制御回路等の周知の回路を含む。
【００２０】
ホスト装置２０は、端末装置１０から送信されたデータを受信するデータ受信部２１と、受信したデータを蓄積するデータ蓄積部２２と、蓄積したデータを解析するデータ解析部２３と、解析結果を出力する出力部２４とを備える。このホスト装置２０は、例えばパーソナルコンピュータ等の情報処理装置により実現される。また、上記のように本実施形態では複数台の端末装置１０が使用され、ホスト装置２０は、その複数台の端末装置１０の各々からデータを受信する。
【００２１】
データ受信部２１は、上記の無線通信回線に対応しており、各端末装置１０からデータを受信してデータ蓄積部２２へ送る。データ蓄積部２２は、例えばパーソナルコンピュータの磁気ディスク装置等の記憶装置により実現され、データ受信部２１から取得した受信データを発話者別に蓄積する。ここで、発話者の識別は、端末装置１０から送信される端末ＩＤと、予めホスト装置２０に登録されている発話者名と端末ＩＤの照合により行う。また、端末装置１０から端末ＩＤの代わりに、装着者名を送信するようにしておいても良い。
【００２２】
データ解析部２３は、例えばパーソナルコンピュータのプログラム制御されたＣＰＵにより実現され、データ蓄積部２２に蓄積されたデータを解析する。具体的な解析内容および解析手法は、本実施形態のシステムの利用目的や利用態様に応じて種々の内容および手法を取り得る。例えば、端末装置１０の装着者どうしの対話頻度や各装着者の対話相手の傾向を分析したり、対話における個々の発話の長さや音圧の情報から対話者の関係を類推したりすることが行われる。
【００２３】
出力部２４は、データ解析部２３による解析結果を出力したり、解析結果に基づく出力を行ったりする。出力手段は、システムの利用目的や利用態様、解析結果の内容や形式等に応じて、ディスプレイ表示、プリンタによる印刷出力、音声出力等、種々の手段を取り得る。
【００２４】
＜端末装置の構成例＞
図２は、端末装置１０の構成例を示す図である。
上記のように、端末装置１０は、各使用者に装着されて使用される。使用者が装着可能とするため、本実施形態の端末装置１０は、図２に示すように、装置本体３０と、装置本体３０に接続された提げ紐４０とを備えた構成とする。図示の構成において、使用者は、提げ紐４０に首を通し、装置本体３０を首から提げて装着する。
【００２５】
装置本体３０は、金属や樹脂等で形成された薄い直方体のケース３１に、少なくとも第１増幅器１３ａ、第２増幅器１３ｂ、第３増幅器１３ｃ、音声解析部１５、データ送信部１６、表示部１７および電源部１８を実現する回路と電源部１８の電源（電池）とを収納して構成される。また図示の例では、ケース３１に、第１マイクロフォン１１ａが設けられている。さらに、ケース３１には、装着者の氏名や所属等のＩＤ情報を表示したＩＤカード等を挿入するポケットを設けても良い。また、ケース３１自体の表面にそのようなＩＤ情報等を印刷したり、ＩＤ情報等を記載したシールを貼り付けたりしても良い。
【００２６】
取付け手段の一例である提げ紐４０には、第２マイクロフォン１１ｂおよび第３マイクロフォン１１ｃが設けられる。提げ紐４０の材質としては、革、合成皮革、木綿その他の天然繊維や樹脂等による合成繊維、金属等、既存の種々の材質を用いて良い。また、シリコン樹脂やフッ素樹脂等を用いたコーティング処理が施されていても良い。
【００２７】
この提げ紐４０は、筒状の構造を有し、提げ紐４０の内部に第２マイクロフォン１１ｂおよび第３マイクロフォン１１ｃを収納している。第２マイクロフォン１１ｂおよび第３マイクロフォン１１ｃを提げ紐４０の内部に設けることにより、第２マイクロフォン１１ｂおよび第３マイクロフォン１１ｃの損傷や汚れを防ぎ、対話者が第２マイクロフォン１１ｂおよび第３マイクロフォン１１ｃの存在を意識することが抑制される。
【００２８】
ここで、提げ紐４０は、捩じれない程度の剛性（寸法、材質）を有するよう形成される。また、図示の例においては、提げ紐４０の断面は、矩形状であり装着者に装着された状態で、装着者に対する向きが安定する（同じ向きを向く）よう構成される。さらに説明をすると、装着者が端末装置１０を装着している際に、提げ紐４０の装着者に対する向きが変化することを抑制するように提げ紐４０は平坦な面（安定部）を備えて構成されている。なお、本実施形態においては、装置本体３０と提げ紐４０とが同じ向きを向くように装置本体３０と提げ紐４０とが固定されている。
【００２９】
図２を参照すると、第１マイクロフォン１１ａ（第３音声取得手段）と第２マイクロフォン１１ｂとは、ケース３１に設けられ装着者が提げ紐４０を首に掛けて装置本体３０を下げた状態で、装着者の口（発声部位）からの音波伝搬経路の距離（以下、単に「距離」と記す）が異なる位置に配置される。ここでは、第１マイクロフォン１１ａは装着者の口（発声部位）から遠い位置（例えば、３５ｃｍ程度）に配置され、第２マイクロフォン１１ｂは装着者の口（発声部位）に近い位置（例えば、１０ｃｍ程度）に配置されるものとする。
【００３０】
また、第２マイクロフォン（第２音声取得手段、全指向性マイクロフォン）１１ｂと第３マイクロフォン（第１音声取得手段、単一指向性マイクロフォン）１１ｃとは、装着者が端末装置１０を装着した状態において、水平方向に予め定められた距離だけ離間して配される。ここでは、第２マイクロフォン１１ｂと第３マイクロフォン１１ｃとは、装着者が端末装置１０を装着した状態において、水平方向に並んで配置され、かつ例えば１５ｃｍ程度離れて配置されている。さらに説明をすると、第２マイクロフォン１１ｂと第３マイクロフォン１１ｃとは、装着者からみて左右対称の位置に配置される。なお、第２マイクロフォン１１ｂと第３マイクロフォン１１ｃとを、２つの音声取得手段として捉えることができる。
【００３１】
＜取得音声の非言語情報に基づく発話者（自他）の識別＞
次に、本実施形態における発話者の識別方法について説明する。
本実施形態のシステムは、端末装置１０に設けられた第１マイクロフォン１１ａと第２マイクロフォン１１ｂとにより取得された音声の情報を用いて、端末装置１０の装着者自身の発話音声と他者の発話音声とを識別する。言い換えれば、本実施形態は、取得音声の発話者に関して自他の別を識別する。また、本実施形態では、取得音声の情報のうち、形態素解析や辞書情報を用いて得られる言語情報ではなく、音圧（マイクロフォン１１への入力音量）等の非言語情報に基づいて発話者を識別する。言い換えれば、言語情報により特定される発話内容ではなく、非言語情報により特定される発話状況から音声の発話者を識別する。
【００３２】
図１および図２を参照して説明したように、本実施形態において、端末装置１０の第１マイクロフォン１１ａは装着者の口（発声部位）から遠い位置に配置され、第２マイクロフォン１１ｂは装着者の口（発声部位）に近い位置に配置される。すなわち、装着者の口（発声部位）を音源とすると、第１マイクロフォン１１ａと音源との間の距離と、第２マイクロフォン１１ｂと音源との間の距離とが大きく異なる。具体的には、第１マイクロフォン１１ａと音源との間の距離は、第２マイクロフォン１１ｂと音源との間の距離の１．５〜４倍程度である。ここで、マイクロフォン１１における取得音声の音圧は、マイクロフォン１１と音源との間の距離が大きくなるにしたがって減衰（距離減衰）する。したがって、装着者の発話音声に関して、第１マイクロフォン１１ａにおける取得音声の音圧と第２マイクロフォン１１ｂにおける取得音声の音圧とは大きく異なる。
【００３３】
一方、装着者以外の者（他者）の口（発声部位）を音源とした場合を考えると、その他者が装着者から離れているため、第１マイクロフォン１１ａと音源との間の距離と、第２マイクロフォン１１ｂと音源との間の距離は、大きく変わらない。装着者に対する他者の位置によっては、両距離の差は生じ得るが、装着者の口（発声部位）を音源とした場合のように、第１マイクロフォン１１ａと音源との間の距離が第２マイクロフォン１１ｂと音源との間の距離の数倍となることはない。したがって、他者の発話音声に関して、第１マイクロフォン１１ａにおける取得音声の音圧と第２マイクロフォン１１ｂにおける取得音声の音圧とは、装着者の発話音声の場合のように大きく異なることはない。
【００３４】
図３は、装着者および他者の口（発声部位）と、マイクロフォン１１との位置の関係を示す図である。なお、図示の例においては、第１マイクロフォン１１ａは、提げ紐４０に設けられている。
図３に示す関係において、装着者の口（発声部位）である音源ａと第１マイクロフォン１１ａとの間の距離をＬａ１、音源ａと第２マイクロフォン１１ｂとの間の距離をＬａ２とする。また、他者の口（発声部位）である音源ｂと第１マイクロフォン１１ａとの間の距離をＬｂ１、音源ｂと第２マイクロフォン１１ｂとの間の距離をＬｂ２とする。この場合、次の関係が成り立つ。
Ｌａ１＞Ｌａ２（Ｌａ１≒１．５×Ｌａ２〜４×Ｌａ２）
Ｌｂ１≒Ｌｂ２
【００３５】
図４は、マイクロフォン１１と音源との間の距離と音圧（入力音量）との関係を示す図である。
上述したように、音圧は、マイクロフォン１１と音源との間の距離に応じて距離減衰する。図４において、距離Ｌａ１の場合の音圧（第１音圧）Ｇａ１と距離Ｌａ２の場合の音圧（第２音圧）Ｇａ２とを比較すると、音圧Ｇａ２は、音圧Ｇａ１の４倍程度となっている。一方、距離Ｌｂ１と距離Ｌｂ２とが近似するため、距離Ｌｂ１の場合の音圧Ｇｂ１と距離Ｌｂ２の場合の音圧Ｇｂ２とは、ほぼ等しい。そこで、本実施形態では、この音圧比の差を用いて、取得音声における装着者自身の発話音声と他者の発話音声とを識別する。なお、図４に示した例では、距離Ｌｂ１、Ｌｂ２を６０ｃｍとしたが、ここでは音圧Ｇｂ１と音圧Ｇｂ２とがほぼ等しくなることに意味があり、距離Ｌｂ１、Ｌｂ２は図示の値に限定されない。
【００３６】
図５は、装着者自身の発話音声と他者の発話音声の識別方法を示す図である。
図４を参照して説明したように、装着者自身の発話音声に関して、第２マイクロフォン１１ｂの音圧Ｇａ２は、第１マイクロフォン１１ａの音圧Ｇａ１の数倍（例えば４倍程度）である。また、他者の発話音声に関して、第２マイクロフォン１１ｂの音圧Ｇｂ２は、第１マイクロフォン１１ａの音圧Ｇｂ１とほぼ等しい（１倍程度）。そこで、本実施形態では、第２マイクロフォン１１ｂの音圧と第１マイクロフォン１１ａの音圧との比に閾値（閾値）を設定する。閾値は、装着者自身の発話音声における音圧比の値と他者の発話音声における音圧比の値との間の値に設定される。そして、音圧比が閾値よりも大きい音声は装着者自身の発話音声と判断し、音圧比が閾値よりも小さい音声は他者の発話音声と判断する。図５に示す例では、閾値を２とし、音圧比Ｇａ２／Ｇａ１は閾値２を超えるので装着者自身の発話音声と判断され、音圧比Ｇｂ２／Ｇｂ１は閾値２よりも小さいので他者の発話音声と判断されている。
【００３７】
なお上述した例では、第１マイクロフォン１１ａと第２マイクロフォン１１ｂとを使用して自他識別の判断を行なったが、これに限られるものではなく、第１マイクロフォン１１ａと第３マイクロフォン１１ｃを使用しても同様であることは勿論である。
【００３８】
＜対面角度の説明＞
図６は、本実施形態における対面角度について説明した図である。
本実施形態において対面角度とは、端末装置１０の装着者と話者との向き合う角度である。そして本実施形態で定義される対面角度の一例として図６では、水平方向の対面角度を示している。つまり図６は、装着者と話者とを頭上から見た図である。そして本実施形態は、対面角度αとして、２個の音声取得手段である第２マイクロフォン１１ｂと第３マイクロフォン１１ｃとを結ぶ線分と、この線分の中点および話者を結ぶ線分との角度を採用する。これにより対面角度の数学的取り扱いがより簡単になる。そしてこの定義を採用した場合、例えば、装着者と話者とがそれぞれ正面を向いて対向しているときは、この二人の対面角度αは、９０°となる。
【００３９】
＜対面角度を求める方法の説明＞
図７は、第２マイクロフォン１１ｂと第３マイクロフォン１１ｃとを使用して対面角度αを求める方法について説明した図である。
ここで、他者の口（発声部位）である音源ｂから発した音声は、音源ｂから同心円状に広がる。ただし音声は有限の速度である音速で広がるため音声が第２マイクロフォン１１ｂに到達した時間と第３マイクロフォン１１ｃに到達した時間とは異なり、音声の行路差δに対応した時間差Δｔが生じる。そして第２マイクロフォン１１ｂと第３マイクロフォン１１ｃとの間の距離をＤ、中点Ｃと音源ｂとの間の距離をＬとするとこれらの間には次の（１）式が成立する。
【００４０】
δ＝（Ｌ２＋ＬＤcosα＋Ｄ２／４）０．５−（Ｌ２−ＬＤcosα＋Ｄ２／４）０．５  …（１）
【００４１】
この（１）式は、Ｌ＞Ｄの場合、Ｌによる影響が小さいため、下記（２）式に近似できる。
【００４２】
δ≒Ｄcosα    …（２）
【００４３】
また音速ｃと時間差Δｔを使用すると、下記（３）式が成立する。
【００４４】
δ＝ｃΔｔ    …（３）
【００４５】
つまりこの（２）式および（３）式を使用することで、対面角度αが求まる。つまり２つの音声取得手段である第２マイクロフォン１１ｂと第３マイクロフォン１１ｃとに話者の音声が到達する時間差Δｔ、および第２マイクロフォン１１ｂと第３マイクロフォン１１ｃとが離間する距離Ｄに基づいて、装着者と話者との向き合う角度である対面角度αを計測することができる。
【００４６】
また第２マイクロフォン１１ｂと第３マイクロフォン１１ｃとに話者の音声が到達する時間差Δｔは、以下のようにして求めることができる。
図８は、本実施形態において時間差Δｔを求める方法を説明した図である。このうち図８（ａ）は、第２マイクロフォン１１ｂと第３マイクロフォン１１ｃとに到達する話者の音声をサンプリング周波数１ＭＨｚでサンプリングし、そのデータの中から連続する５０００ポイントを抜き出した図である。
ここで横軸は５０００ポイントのデータにそれぞれに付けられたデータ番号を表わし、縦軸は、話者の音声の振幅を表わす。そして実線は、第２マイクロフォン１１ｂに到達した話者の音声の波形信号であり、点線は、第３マイクロフォン１１ｃに到達した話者の音声の波形信号である。
【００４７】
本実施形態では、この２つの波形信号の相互相関関数を求める。つまり一方の波形信号を固定し，他方の波形信号をシフトしつつ積和をとる計算を行なう。図８（ｂ）〜（ｃ）は、この２つの波形信号に対する相互相関関数を示した図である。このうち図８（ｂ）は、サンプリングした５０００ポイントのデータ全体の相互相関関数であり、図８（ｃ）は、図８（ｂ）に示した相互相関関数のピーク付近を拡大した図である。なお図８（ｂ）〜（ｃ）では、第２マイクロフォン１１ｂに到達した話者の音声の波形信号を固定し、第３マイクロフォン１１ｃに到達した話者の音声の波形信号をシフトして相互相関関数を求めた場合を示している。
【００４８】
図８（ｃ）に示すようにデータ番号０を基準にしてピーク位置は、−２２７ポイントずれている。これは第２マイクロフォン１１ｂを基準にして第３マイクロフォン１１ｃに到達する話者の音声が、この分遅延して到達することを意味する。本実施形態においてサンプリング周波数は、上述の通り１ＭＨｚなので、サンプリングした各データ間の時間は、１×１０−６（ｓ）である。よってこの遅延時間としては２２７×１×１０−６（ｓ）＝２２７（μｓ）となる。つまりこの場合、時間差Δｔは、２２７（μｓ）である。
【００４９】
また本実施形態では、振幅を予め定められた周波数帯毎に分け、最も振幅が大きい周波数帯について大きい重み付けをして相互相関関数を求めている。これにより求められる時間差Δｔがより正確になる。またこの時間差Δｔをより正確に求めるために第２マイクロフォン１１ｂと第３マイクロフォン１１ｃとの距離は１ｃｍ〜１００ｃｍの範囲内になることが好ましい。第２マイクロフォン１１ｂと第３マイクロフォン１１ｃとの距離が１ｃｍ未満であると時間差Δｔが小さくなりすぎ、この後導出される対面角度の誤差が大きくなりやすい。また１００ｃｍより大きいと時間差Δｔを導出する際に、反射音の影響を受けやくなる。また相互相関関数を求める際に、より長い時間幅について計算を行なう必要があるため計算に要する負荷が大きくなる。
【００５０】
図９は、対面角度αと、第２マイクロフォン１１ｂおよび第３マイクロフォン１１ｃに話者の音声が到達する時間差Δｔとの関係を示した図である。図９において、横軸は対面角度α（°）を表わし、縦軸は、時間差Δｔを表わす。
図９により例えば、装着者と話者とが正面同士で向き合っているとき、つまり対面角度αが９０°の場合は、時間差Δｔは、０であり、対面角度αが９０°の場合からずれるに従い時間差Δｔの絶対値は大きくなることがわかる。
なお対面角度αは、上述のようにして算出してもよいが、例えば、図９を基にして時間差Δｔに対する対面角度αをＬＵＴ（Look up Table）として、端末装置１０内に保持しておき、時間差Δｔを求めた後、このＬＵＴを参照することにより対面角度αを求めてもよい。
【００５１】
＜対面角度の誤認＞
上記のように、端末装置１０の装着者は、提げ紐４０に首を通し、装置本体３０を首から提げて装着する。ここで、装着者は、端末装置１０の左右を入れ替えた状態でも首から提げ得る。すなわち、装着者が装置本体３０を首から提げた状態において、装着者からみて第２マイクロフォン１１ｂが右側に配置され第３マイクロフォン１１ｃが左側に配置される場合と、それとは反対に、装着者からみて第３マイクロフォン１１ｃが右側に配置され第２マイクロフォン１１ｂが左側に配置される場合とがある。
【００５２】
そして、端末装置１０の音声解析部１５が、第２マイクロフォン１１ｂおよび第３マイクロフォン１１ｃの左右の配置を認識せずに対面角度αを求めると、話者の位置を誤って認識し得る。以下で、第２マイクロフォン１１ｂを基準にして第３マイクロフォン１１ｃに到達する話者の音声が、時間差Δｔ１で到達した場合を説明する。
【００５３】
図１０は、第２マイクロフォン１１ｂおよび第３マイクロフォン１１ｃの配置を誤って認識する状態について説明した図である。
図１０（ａ）に示すように、端末装置１０の装着者からみて、第２マイクロフォン１１ｂが右側に配置され第３マイクロフォン１１ｃが左側に配置されている状態において、第２マイクロフォン１１ｂおよび第３マイクロフォン１１ｃが時間差Δｔ１となる音声を取得したとする。この場合において、対面角度αは、図１０（ａ）に示すように対面角度α１（°）となる。
【００５４】
ここで、図１０（ｂ）に示すように、図１０（ａ）に示す端末装置１０とは逆の配置、すなわち端末装置１０の装着者からみて、第２マイクロフォン１１ｂが左側に配置され第３マイクロフォン１１ｃが右側に配置される場合を想定する。さらに、この端末装置１０の配置において、図１０（ｂ）に示すように話者が位置する、すなわち対面角度がα２（°）となる位置に話者が位置することを想定する。なお、α２は、α２＝１８０−α１の関係であり、装着者からみた正面方向に対して、図１０（ａ）の話者の位置と図１０（ｂ）の話者の位置とは対称の関係である。
この図１０（ｂ）に示す状態において、第２マイクロフォン１１ｂおよび第３マイクロフォン１１ｃが取得する音声の時間差は、上記の図１０（ａ）の場合と同じくΔｔ１となる。
【００５５】
このように、第２マイクロフォン１１ｂおよび第３マイクロフォン１１ｃが同一の時間差Δｔ１の音声を取得した場合であっても、第２マイクロフォン１１ｂおよび第３マイクロフォン１１ｃの配置によって、対面角度αが、対面角度α１となる場合と対面角度α２となる場合とがある。
【００５６】
したがって、例えば、実際には図１０（ｂ）のように第２マイクロフォン１１ｂおよび第３マイクロフォン１１ｃが配置されているのにもかかわらず、図１０（ａ）のように第２マイクロフォン１１ｂおよび第３マイクロフォン１１ｃが配置されていることを処理の前提とすると、話者の位置を誤って認識することとなる。
なお、実際の第２マイクロフォン１１ｂおよび第３マイクロフォン１１ｃの配置を、処理の前提とする位置とは左右反対にすると、音声解析部１５は、装着者からみた正面方向に対して実際の話者とは鏡像の位置に、話者が位置すると誤認することとなる。また、仮に装着者が端末装置１０を装着する際、端末装置１０の向きがランダムとなるとすると、５０％の確率で音声解析部１５が話者の位置を誤認するエラーが発生し得る。
【００５７】
＜マイクロフォンの位置の認識＞
そこで、本実施形態では、第２マイクロフォン１１ｂおよび第３マイクロフォン１１ｃが取得する音声に基づいて第２マイクロフォン１１ｂおよび第３マイクロフォン１１ｃの配置を認識する。具体的には、本実施形態では、第２マイクロフォン１１ｂおよび第３マイクロフォン１１ｃそれぞれの取得音声の音圧を比較することにより、第２マイクロフォン１１ｂおよび第３マイクロフォン１１ｃの配置を認識する。以下で各マイクロフォンの配置を認識する構成を具体的に説明する。
【００５８】
図１１は、第２マイクロフォン１１ｂおよび第３マイクロフォン１１ｃの概略構成を説明するための図である。より詳細には、図１１（ａ）は、第２マイクロフォン１１ｂおよび第３マイクロフォン１１ｃの配置を示す説明図であり、図１１（ｂ）は、第２マイクロフォン１１ｂおよび第３マイクロフォン１１ｃの指向特性を示す概略図であり、図１１（ｃ）は、第２マイクロフォン１１ｂおよび第３マイクロフォン１１ｃの配置の識別方法を示す図である。
【００５９】
まず、図１１（ａ）に示すように、端末装置１０の装着者からみて、第２マイクロフォン１１ｂ（第２音声取得手段）が右側に配置され、第３マイクロフォン１１ｃ（第１音声取得手段）が左側に配置されている状態を、端末装置１０が正常な向きに配置されている状態とする。一方、図１１（ａ）とは異なり、端末装置１０の装着者からみて、第２マイクロフォン１１ｂが左側に配置され、第３マイクロフォン１１ｃが右側に配置されている状態を、端末装置１０が反対の向きに配置されている状態とする。
【００６０】
さて、図１１（ｂ−１）に実線で示すように、第３マイクロフォン１１ｃは、装着者からみて前方（回転方向９０°）からの音声に対する感度が、装着者からみて後方（回転方向２７０°）からの音声に対する感度よりも高い指向性を有する。図示の例においては、第３マイクロフォン１１ｃは、装着者からみて前方（回転方向９０°）からの音声に対する感度を有する単一指向性（第１の指向性）のマイクロフォンである。
【００６１】
それに対して、図１１（ｂ−２）に示すように、第２マイクロフォン１１ｂは、装着者からみて前方（回転方向９０°）からの音声に対する感度が、装着者からみて後方（回転方向２７０°）からの音声に対する感度とほぼ等しい指向性を有する。図示の例においては、第２マイクロフォン１１ｂは、指向性がない無指向性（全指向性、第２の指向性）のマイクロフォンである。
【００６２】
ここで、端末装置１０が反対の向きに配置された場合、図１１（ｂ−１）に破線で示すように、第３マイクロフォン１１ｃは後方（回転方向２７０°）からの音声に対する感度を有する状態となる。したがって、端末装置１０が正常な向きの場合と比較して、装着者からみて前方（回転方向９０°）からの音声に対する第３マイクロフォン１１ｃの感度は小さくなり、取得音声の音圧は小さくなる。
【００６３】
それに対して、端末装置１０が反対の向きに配置された場合であっても、第２マイクロフォン１１ｂの指向性は変化しない。したがって、端末装置１０が正常な向きの場合と比較して、装着者からみて前方（回転方向９０°）からの音声に対する第２マイクロフォン１１ｂの取得音声の音圧はほぼ変化しない（等しくなる）。
そこで、本実施形態においては、第２マイクロフォン１１ｂの取得音声の音圧と第３マイクロフォン１１ｃの取得音声の音圧との音圧比が端末装置１０の向きにより変化することを用いて、第２マイクロフォン１１ｂおよび第３マイクロフォン１１ｃの配置を識別する。
【００６４】
具体的には、図１１（ｃ）に示すような方法により識別する。すなわち、端末装置１０が正常の向きに配置された場合、第３マイクロフォン１１ｃの音圧Ｇｃ３は、第２マイクロフォン１１ｂの音圧Ｇｃ２とほぼ等しい（例えば１倍程度）。また、端末装置１０が反対の向きに配置された場合、第３マイクロフォン１１ｃの音圧Ｇｄ３は、第２マイクロフォン１１ｂの音圧Ｇｄ２よりも小さい（例えば０．２倍程度）。
【００６５】
そこで、本実施形態では、第３マイクロフォン１１ｃの音圧と第２マイクロフォン１１ｂの音圧との比に閾値を設定する。この閾値は、端末装置１０が正常の向きに配置された場合における音圧比の値と、端末装置１０が反対の向きに配置された場合における音圧比の値との間の値に設定される。そして、音圧比が閾値よりも大きい場合は端末装置１０が正常の向きに配置されたと判断し、音圧比が閾値よりも小さい場合は端末装置１０が反対の向きに配置されたと判断する。
図１１（ｃ）に示す例では、閾値を０．５とし、音圧比Ｇｃ３／Ｇｃ２は閾値０．５を超えるので端末装置１０が正常の向きに配置されたと判断され、音圧比Ｇｄ３／Ｇｄ２は閾値０．５よりも小さいので端末装置１０が反対の向きに配置されたと判断される。
【００６６】
＜端末装置の動作例＞
図１２は、本実施形態における端末装置１０の動作を示すフローチャートである。
図１２に示すように、端末装置１０のマイクロフォン１１が音声を取得すると、各マイクロフォン１１から取得した音声に応じた電気信号（音声信号）が対応する各増幅器１３へ送られる（ステップ１２０１）。各増幅器１３は、各マイクロフォン１１からの音声信号を取得すると、信号を増幅して音声解析部１５へ送る（ステップ１２０２）。
【００６７】
音声解析部１５は、各増幅器１３で増幅された信号に対してフィルタリング処理を行い、信号から環境音の成分を除去する（ステップ１２０３）。次に、音声解析部１５は、雑音成分が除かれた信号に対し、一定の時間単位（例えば、数十分の一秒〜数百分の一秒）毎に、各マイクロフォン１１の取得音声における平均音圧を求める（ステップ１２０４）。
【００６８】
ステップ１２０４で求めた各マイクロフォン１１のうち、第１マイクロフォン１１ａおよび第２マイクロフォン１１ｂにおける平均音圧の利得が有る場合（ステップ１２０５でＹｅｓ）、音声解析部１５は、発話音声が有る（発話が行われた）と判断し、次に、第１マイクロフォン１１ａにおける平均音圧と第２マイクロフォン１１ｂにおける平均音圧との比である第１音圧比を求める（ステップ１２０６）。
【００６９】
そして、ステップ１２０６で求めた第１音圧比が第１閾値よりも大きい場合（ステップ１２０７でＹｅｓ）、音声解析部１５は、発話音声は装着者自身の発話による音声であると判断する（ステップ１２０８）。また、ステップ１２０６で求めた第１音圧比が第１閾値よりも小さい場合（ステップ１２０７でＮｏ）、音声解析部１５は発話音声は他者の発話による音声であると判断し（ステップ１２０９）、音声解析部１５は対面角度を算出する（ステップ１２１０）。
【００７０】
また、ステップ１２０４で求めた各第１マイクロフォン１１ａおよび第２マイクロフォン１１ｂにおける平均音圧の利得が無い場合（ステップ１２０５でＮｏ）、音声解析部１５は、発話音声が無い（発話が行われていない）と判断する（ステップ１２１１）。
【００７１】
この後、音声解析部１５は、データ送信部１６を介して、ステップ１２０４〜ステップ１２１１の処理で得られた情報（発話の有無、発話者の情報、対面角度）を解析結果としてホスト装置２０へ送信させる（ステップ１２１２）。発話者毎（装着者自身または他者）の発話時間の長さや平均音圧の利得の値、その他の付加情報を解析結果と共にホスト装置２０へ送信させても良い。
【００７２】
なお、本実施形態では、第１マイクロフォン１１ａの音圧と第２マイクロフォン１１ｂの音圧とを比較することにより、発話音声が装着者自身の発話による音声か他者の発話による音声かを判断した。しかし、本実施形態による発話者の識別は、各マイクロフォン１１により取得された音声信号そのものから抽出される非言語情報に基づいて行うものであれば良く、音圧の比較には限定されない。例えば、第１マイクロフォン１１ａと第２マイクロフォン１１ｂとにおける時間差Δｔを求めることにより判断するようにしてもよい。
【００７３】
＜対面角度の算出＞
次に、音声解析部１５が、対面角度を算出する（図１２のステップ１２１０）フローを詳細に説明する。
図１３は、本実施形態における音声解析部１５が対面角度を算出するフローチャートである。
図１３に示すように、音声解析部１５は、第２マイクロフォン１１ｂおよび第３マイクロフォン１１ｃに話者の音声が到達する時間の時間差Δｔを算出する（ステップ１３０１）。さらに図７で説明した手法により、この時間差Δｔおよび第２マイクロフォン１１ｂと第３マイクロフォン１１ｃとが離間する距離Ｄに基づいて、装着者と話者との向き合う角度である対面角度を求める（ステップ１３０２）。
【００７４】
次に、音声解析部１５は、第３マイクロフォン１１ｃが取得する平均音圧である第３音圧と第２マイクロフォン１１ｂにおける平均音圧である第２音圧との比である第２音圧比（第３マイクロフォン１１ｃの音圧／第２マイクロフォン１１ｂの音圧）を求める（ステップ１３０３）。そして、ステップ１３０３で求めた第２音圧比が第２閾値よりも大きい場合（ステップ１３０４でＹｅｓ）、音声解析部１５は、端末装置１０が正常の向きに配置されていると判断する（ステップ１３０５）。また、ステップ１３０３で求めた第２音圧比が第２閾値よりも小さい場合（ステップ１３０４でＮｏ）、音声解析部１５は端末装置１０が反対の向きに配置されていると判断する（ステップ１３０６）そして、音声解析部１５は、ステップ１３０２で求めた対面角度を補正する（ステップ１３０７）。具体的には、ステップ１３０２で求めた対面角度をαａ（°）とし、補正後の対面角度をαｂ（°）とすると、次式により補正を行う。
【００７５】
αｂ＝１８０−αａ    …（４）
【００７６】
なお、この後、対面角度の情報は、上記のようにデータ送信部１６を介してホスト装置２０へ送信させる（図１２のステップ１２１２）。また、表示部１７を点灯させることにより、装着者に端末装置１０が反対の向きに装着されていることを認識させ、正しい向きに装着することを促してもよい。
【００７７】
上記のように音声解析部１５が動作することにより、第２マイクロフォン１１ｂおよび第３マイクロフォン１１ｃの左右方向の配置を把握し、その後の演算（対面角度の算出）の精度が向上する。また、例えば音源までの距離を算出する際にも、その算出精度が向上する。
【００７８】
＜実験＞
さて、第２マイクロフォン１１ｂおよび第３マイクロフォン１１ｃが取得する音声に基づいて、第２マイクロフォン１１ｂおよび第３マイクロフォン１１ｃの配置を認識することができるかを確認した実験結果について説明する。
【００７９】
まず、実験の条件を説明すると、図１１（ａ）および図１１（ｂ）に示すように、第２マイクロフォン１１ｂに無指向性のマイクロフォンを用い、第３マイクロフォン１１ｃに単一指向性のマイクロフォンを用いた端末装置１０をマネキンに装着させた。また、このマネキンからみて、対面角度６０°の方向で距離１．５ｍの位置に、他のマネキンを配置した。そして、この他のマネキンの口にスピーカーを設け、このスピーカーから１ｋＨｚの音を発生させた。このスピーカーからの音を、正常の向きと反対の向きとにそれぞれ配置した端末装置１０によって測定し、第２音圧比（第３マイクロフォン１１ｃの音圧／第２マイクロフォン１１ｂの音圧）の平均値を求めた。
また、比較実験として、第２マイクロフォン１１ｂおよび第３マイクロフォン１１ｃの両者に無指向性のマイクロフォンを用いた端末装置１０によって同様の測定を行った。
【００８０】
その結果、正常の向きの場合における第２音圧比は０．９７となるとともに、反対の向きの場合における第２音圧比は０．２１となり、正常の向きの場合における第２音圧比の方が大きくなった。したがって、上述のように、測定された第２音圧比を第２閾値と比較することで、第２マイクロフォン１１ｂおよび第３マイクロフォン１１ｃの配置を認識し得ることが確認できた。さらに説明をすると、対面角度を誤認することが抑制され得ることが確認できた。
【００８１】
一方で、比較実験においては、正常の向きの場合における第２音圧比は０．８６となるとともに、反対の向きの場合における第２音圧比は１．１１となり、反対の向きの場合における第２音圧比の方が大きくなった。したがって、測定された第２音圧比を第２閾値と比較することで、上述のように第２マイクロフォン１１ｂおよび第３マイクロフォン１１ｃの配置を認識することはできなかった。さらに説明をすると、対面角度が誤認され得る状態であることが確認された。
【００８２】
＜システムの適用例とホスト装置の機能＞
本実施形態のシステムでは、複数の端末装置１０により上記のようにして得られた発話に関する情報（以下、発話情報）がホスト装置２０に集められる。ホスト装置２０は、複数の端末装置１０から得られた情報を用いて、システムの利用目的や利用態様等に応じて種々の解析を行う。以下、複数の装着者のコミュニケーションに関する情報を取得するシステムとして本実施形態を用いる例を説明する。
【００８３】
図１４は、本実施形態の端末装置１０をそれぞれ装着した複数の装着者が会話している状況を示す図である。図１５は、図１４の会話状況における各端末装置１０Ａ、１０Ｂの発話情報の例を示す図である。
図１４に示すように、端末装置１０をそれぞれ装着した二人の装着者Ａ、装着者Ｂが会話している場合を考える。このとき、装着者Ａの端末装置１０Ａにおいて装着者の発話として認識される音声は、装着者Ｂの端末装置１０Ｂでは他者の発話として認識される。反対に、端末装置１０Ｂにおいて装着者の発話として認識される音声は、端末装置１０Ａでは他者の発話として認識される。
【００８４】
端末装置１０Ａおよび端末装置１０Ｂからは、それぞれ独立に、発話情報がホスト装置２０に送られる。このとき、端末装置１０Ａから取得した発話情報と、端末装置１０Ｂから取得した発話情報とは、図１５に示すように、発話者（装着者と他者）の識別結果は反対になるが、発話時間の長さや発話者が切り替わったタイミング等の発話状況を示す情報は近似する。そこで、本適用例のホスト装置２０は、端末装置１０Ａから取得した情報と端末装置１０Ｂから取得した情報とを比較することにより、これらの情報が同じ発話状況を示していると判断し、装着者Ａと装着者Ｂとが会話していることを認識する。ここで、発話状況を示す情報としては、少なくとも、上述した発話者ごとの個々の発話における発話時間の長さ、個々の発話の開始時刻と終了時刻、発話者が切り替わった時刻（タイミング）等のように、発話に関する時間情報が用いられる。なお、特定の会話に係る発話状況を判断するために、これらの発話に関する時間情報の一部のみを用いても良いし、他の情報を付加的に用いても良い。
【００８５】
さらに説明をすると、本実施形態においては、上記のように端末装置１０Ａおよび端末装置１０Ｂからは、装着者と話者との向き合う角度である対面角度がそれぞれ独立にホスト装置２０に送られる。従って、端末装置１０Ａおよび端末装置１０Ｂから取得した対面角度に基づくことにより、装着者Ａと装着者Ｂとが会話していることをより精度よく認識することができる。
【００８６】
図１６は、本適用例におけるホスト装置２０の機能構成例を示す図である。
本適用例において、ホスト装置２０は、端末装置１０から取得した発話情報のうち、会話を行っている装着者の端末装置１０からの発話情報（以下、会話情報）を検出する会話情報検出部２０１と、検出された会話情報を解析する会話情報解析部２０２とを備える。この会話情報検出部２０１および会話情報解析部２０２は、データ解析部２３の機能として実現される。
【００８７】
ホスト装置２０には、端末装置１０Ａ、端末装置１０Ｂ以外の端末装置１０からも発話情報が送られる。データ受信部２１により受信された各端末装置１０からの発話情報は、データ蓄積部２２に蓄積される。そして、データ解析部２３の会話情報検出部２０１が、データ蓄積部２２に蓄積された各端末装置１０の発話情報を読み出し、特定の会話に係る発話情報である会話情報を検出する。
【００８８】
上記の図１５に示したように、端末装置１０Ａの発話情報と端末装置１０Ｂの発話情報は、他の端末装置１０の発話情報とは異なる特徴的な対応関係が抽出される。会話情報検出部２０１は、データ蓄積部２２に蓄積されている各端末装置１０から取得した発話情報を比較し、複数の端末装置１０から取得した発話情報の中から、上記のような対応関係を有する発話情報を検出し、同一の会話に係る会話情報として識別する。ホスト装置２０には、複数の端末装置１０から発話情報が随時送られているので、会話情報検出部２０１は、例えば、一定時間分の発話情報を順次区切りながら上記の処理を行い、特定の会話に係る会話情報が含まれているか否かを判断する。
【００８９】
なお、会話情報検出部２０１が複数の端末装置１０の発話情報から特定の会話に係る会話情報を検出するための条件は、上述した図１５に示す対応関係に限定されない。複数の発話情報の中から特定の会話に係る会話情報を識別し得る、いかなる手法にて検出しても良い。
【００９０】
また、上記の例では、端末装置１０をそれぞれ装着した二人の装着者が会話している例を示したが、会話に参加する人数は二人に限定されない。三人以上の装着者が会話している場合、各装着者が装着している端末装置１０において、自装置の装着者の発話音声が装着者自身の発話音声として認識され、他者（二人以上）の発話音声と区別される。しかし、発話時間や発話者が切り替わったタイミング等の発話状況を示す情報は、各端末装置１０における取得情報どうしの間で近似する。そこで、会話情報検出部２０１は、上記の二人の会話の場合と同様に、同一の会話に参加している装着者の端末装置１０から取得した発話情報を検出し、会話に参加していない装着者の端末装置１０から取得した発話情報と区別する。
【００９１】
次に、会話情報解析部２０２は、会話情報検出部２０１により検出された会話情報を解析して、その会話の特徴を抽出する。本実施形態では、具体例として、対話度、傾聴度、会話活性度の３種類の評価基準により会話の特徴を抽出する。ここで、対話度とは、会話参加者の発言頻度のバランスを表すものとする。傾聴度とは、個々の会話参加者における他者の発言を聴く度合いを表すものとする。会話活性度とは、会話全体における発言の密度を表すものとする。
【００９２】
対話度は、会話が行われている間における発話者の交代回数と、発話者が交代するまでの時間（一人の発話者が連続して発話している時間）のばらつきによって特定される。これは、一定時間の会話情報において、話者が切り替わった回数および切り替わったときの時刻から得られる。そして、発話者の交代回数が多く、各発話者の連続発話時間のばらつきが小さいほど、対話度の値（レベル）が大きいものとする。この評価基準は、同一の会話に係る全ての会話情報（各端末装置１０の発話情報）において共通する。
【００９３】
傾聴度は、会話情報における会話参加者ごとの自身の発話時間と他者の発話時間との比率によって特定される。例えば、下式の場合、値が大きいほど傾聴度の値（レベル）が大きいものとする。
傾聴度＝（他者の発話時間）÷（装着者自身の発話時間）
この評価基準は、同一の会話に係る会話情報であっても、各会話参加者の端末装置１０から取得した発話情報ごとに異なるものとなる。
【００９４】
会話活性度は、いわゆる会話の盛り上がりを表す指標であり、会話情報全体に対する無言時間（会話参加者の誰も発言していない時間）の比率によって特定される。無言時間の総和が短いほど、会話において会話参加者のいずれかが発言していることを意味し、会話活性度の値（レベル）が大きいものとする。この評価基準は、同一の会話に係る全ての会話情報（各端末装置１０の発話情報）において共通する。
【００９５】
以上のようにして、会話情報解析部２０２による会話情報の解析により、その会話情報に係る会話の特徴が抽出される。また、上記の解析により、その会話における各参加者の参加の仕方が特定される。なお、上記の評価基準は、会話の特徴を表す情報の一例に過ぎず、他の評価項目を採用したり、項目毎に重み付けを加えたりすることにより、本実施形態のシステムの利用目的や利用態様に応じた評価基準を設定して良い。
【００９６】
上記のような解析を、データ蓄積部２２に蓄積された発話情報の中から会話情報検出部２０１により検出された種々の会話情報に対して行うことにより、端末装置１０の装着者のグループ全体におけるコミュニケーションの傾向を分析することができる。具体的には、例えば、会話参加者の数、会話が行われた時間、対話度、活性度などの値と会話の発生頻度との相関関係を調べることで、装着者のグループにおいてどのような態様の会話が行われる傾向があるかが判断される。
【００９７】
また、特定の装着者の複数の会話情報に対して上記のような解析を行うことにより、装着者個人のコミュニケーションの傾向を分析することができる。特定の装着者による会話への参加の仕方は、会話の相手や会話参加者の数といった条件に応じて、一定の傾向を持つ場合がある。そこで、特定の装着者における複数の会話情報を調べることにより、例えば、特定の相手との会話では対話レベルが大きい、会話参加者の数が多くなると傾聴度が大きくなる等のような特徴が検出されることが期待される。
【００９８】
なお、上記の発話情報の識別処理および会話情報解析処理は、本実施形態によるシステムの適用例を示すに過ぎず、本実施形態によるシステムの利用目的や利用態様、ホスト装置２０の機能等を限定するものではない。本実施形態の端末装置１０により取得した発話情報に対して種々の解析や調査を実行するための処理機能が、ホスト装置２０の機能として実現され得る。
【００９９】
＜変形例＞
さて、上述の実施形態においては、第２マイクロフォン１１ｂに無指向性のマイクロフォンを用い、第３マイクロフォン１１ｃに単一指向性のマイクロフォンを用いた端末装置１０を説明したが、これに限定されない。端末装置１０の変形例を、図１７を参照しながら説明をする。なお、図１７は、変形例における第２マイクロフォン１１ｂあるいは第３マイクロフォン１１ｃの指向特性を示す図である。
【０１００】
まず、第２マイクロフォン１１ｂは、提げ紐４０を装着者の首に掛けたときに、装着者からみて前方（回転方向９０°）からの音声に対する感度が、装着者からみて後方（回転方向２７０°）からの音声に対する感度とほぼ等しい指向性を有すればよい。したがって、例えば、図１７（ａ）に示すように、装着者からみて前方と後方に対して感度が高い、両指向性（双指向性）を有するマイクロフォンであってもよい。
【０１０１】
また、第３マイクロフォン１１ｃは、提げ紐４０を装着者の首に掛けたときに、装着者からみて前方（回転方向９０°）からの音声に対する感度が、装着者からみて後方（回転方向２７０°）からの音声に対する感度よりも高い指向性を有すればよい。したがって、例えば、単一指向性の一態様として、装着者からみた前方のより狭い範囲において感度が高い、所謂鋭指向性を有するマイクロフォン（図１７（ｂ）参照）や、所謂超指向性を有するマイクロフォン（図１７（ｃ）参照）であってもよい。
付言すると、第３マイクロフォン１１ｃは、周囲に筒状の集音部材を設け、さらに指向性を高める構成であってももちろんよい。
【０１０２】
ここで、上述の実施形態においては、図２に示したように、第２マイクロフォン１１ｂおよび第３マイクロフォン１１ｃが提げ紐４０に設けられる構成として説明をしたが、これに限定されない。装着者が端末装置１０を装着する向きに応じて、装着者からみた第２マイクロフォン１１ｂと第３マイクロフォン１１ｃとの左右の配置が入れ替わる構成であればよい。
【０１０３】
したがって、例えば、本実施形態のような提げ紐４０ではなく、クリップやベルトにより装着者の衣服や体に装着するように構成してもよい。
また、第２マイクロフォン１１ｂおよび第３マイクロフォン１１ｃのいずれか一方または両方がケース３１に設けられる構成であってもよい。なお、ケース３１に第３マイクロフォン１１ｃに設ける態様の場合には、第２マイクロフォン１１ｂおよび第３マイクロフォン１１ｃそれぞれの取得音声を比較することにより、ケース３１が裏返しに配置されていることを検知し得る。
【０１０４】
さらに、第３マイクロフォン１１ｃが、提げ紐４０を装着者の首に掛けたときに装着者からみて左右方向（回転方向０°および１８０°）からの音声に対する感度が異なる指向性を有するように配置する構成であってもよい。このことにより、例えば捩じれない程度の剛性で形成されている提げ紐が仮に捩じれた場合に、その捩じれを検知し得る。
【符号の説明】
【０１０５】
１０…端末装置、１１ａ…第１マイクロフォン、１１ｂ…第２マイクロフォン、１１ｃ…第３マイクロフォン、１５…音声解析部、２０…ホスト装置、３０…装置本体、４０…提げ紐
【図１】
2014050048.tif 000003
【図２】
2014050048.tif 000004
【図３】
2014050048.tif 000005
【図４】
2014050048.tif 000006
【図５】
2014050048.tif 000007
【図６】
2014050048.tif 000008
【図７】
2014050048.tif 000009
【図８】
2014050048.tif 000010
【図９】
2014050048.tif 000011
【図１０】
2014050048.tif 000012
【図１１−１】
2014050048.tif 000013
【図１１−２】
2014050048.tif 000014
【図１２】
2014050048.tif 000015
【図１３】
2014050048.tif 000016
【図１４】
2014050048.tif 000017
【図１５】
2014050048.tif 000018
【図１６】
2014050048.tif 000019
【図１７】
2014050048.tif 000020